(57)【要約】【課題】サーモスイッチ関連部品や組立作業の費用を削減する。【解決手段】空気吸込口及び温風吹出口を有する筐体内にバーナ１９と熱交換器２３を設け、このバーナを臨ませた燃焼室と、前記空気吸込口から吸入した空気を熱交換器で加熱し、温風吹出口から排出させる対流ファン２８とを設けた温風暖房機に於いて、前記バーナはバーナの温度を検出する温度検出部３０によって検出された温度により燃焼制御が行われ、電源投入の有無を検出する電源検出部３７を設け、この電源検出部３７が電源投入を検出したときで、かつ、前記温度検出部３０の検出温度が所定温度以上のときには対流ファン２８を所定時間作動させる制御部とを備えるようにした。【選択図】図４
2006275358.tif 000002
【特許請求の範囲】
【請求項１】
空気吸込口及び温風吹出口を有する筐体内にバーナと熱交換器を設け、このバーナを臨ませた燃焼部と、前記空気吸込口から吸入した空気を熱交換器で加熱し、温風吹出口から排出させる対流ファンとを設けた温風暖房機に於いて、前記バーナはバーナの温度を検出する温度検出部によって検出された温度により燃焼制御が行われ、電源投入の有無を検出する電源検出部を設け、この電源検出部が電源投入を検出したときで、かつ、前記温度検出部の検出温度が所定温度以上のときには対流ファンを所定時間作動させる制御部とを備えたことを特徴とする温風暖房機の制御装置。
【請求項２】
空気吸込口及び温風吹出口を有する筐体内にバーナと熱交換器を設け、このバーナを臨ませた燃焼部と、前記空気吸込口から吸入した空気を熱交換器で加熱し、温風吹出口から排出させる対流ファンとを設けた温風暖房機に於いて、前記バーナはバーナの温度を検出する温度検出部によって検出された温度により燃焼制御が行われ、運転停止後の再運転時に前記温度検出部の検出温度が所定温度以下のときには所定時間Ａ後に対流ファンの運転を開始し、温度検出部の検出温度が所定温度より大きいときには前記所定時間Ａより短い所定時間Ｂ後に対流ファンの運転を開始させる制御部とを備えたことを特徴とする温風暖房機の制御装置。
【発明の詳細な説明】
【技術分野】
【０００１】
この発明はガスや灯油を燃料とする温風暖房機の制御装置に関するものである。
【背景技術】
【０００２】
近年この種の温風暖房機の制御装置では、制御手段としてマイクロコンピュータを用い、緻密な燃焼制御を行うようになってきた。また、熱交換器等にバイメタル式のサーモスイッチを設けて、運転停止時や運転停止後の再運転時に熱交換器等の残熱を検知して対流ファンの運転を行うことで、温風暖房機内部の過熱による故障や事故を防止していた。（例えば、特許文献１参照）
【特許文献１】実開昭５５−６９２５７号公報
【発明の開示】
【発明が解決しようとする課題】
【０００３】
しかし、この従来のものでは、販売価格の低下により、原価低減の必要にせまられている問題があった。
【課題を解決するための手段】
【０００４】
そこで、本発明は上記課題を解決するため、請求項１では、空気吸込口及び温風吹出口を有する筐体内にバーナと熱交換器を設け、このバーナを臨ませた燃焼部と、前記空気吸込口から吸入した空気を熱交換器で加熱し、温風吹出口から排出させる対流ファンとを設けた温風暖房機に於いて、前記バーナはバーナの温度を検出する温度検出部によって検出された温度により燃焼制御が行われ、電源投入の有無を検出する電源検出部を設け、この電源検出部が電源投入を検出したときで、かつ、前記温度検出部の検出温度が所定温度以上のときには対流ファンを所定時間作動させる制御部とを備えたものである。
【０００５】
また、請求項２では、空気吸込口及び温風吹出口を有する筐体内にバーナと熱交換器を設け、このバーナを臨ませた燃焼部と、前記空気吸込口から吸入した空気を熱交換器で加熱し、温風吹出口から排出させる対流ファンとを設けた温風暖房機に於いて、前記バーナはバーナの温度を検出する温度検出部によって検出された温度により燃焼制御が行われ、運転停止後の再運転時に前記温度検出部の検出温度が所定温度以下のときには所定時間Ａ後に対流ファンの運転を開始し、温度検出部の検出温度が所定温度より大きいときには前記所定時間Ａより短い所定時間Ｂ後に対流ファンの運転を開始させる制御部とを備えたものである。
【発明の効果】
【０００６】
以上のように、本発明によれば、サーモスイッチを廃止することで、サーモスイッチと接続電線等のサーモスイッチ関連部品や組立作業の費用を削減でき、サーモスイッチの代わりとしてバーナの燃焼制御に使用使用している温度検知手段での検知温度によって、運転停止時や再運転時の対流ファンの運転制御を行うことで、温風暖房機内部の過熱による故障や事故を防止できるものである。
【発明を実施するための最良の形態】
【０００７】
次に、本発明の一実施形態を図面に基づいて説明する。
【実施例１】
【０００８】
１は温風暖房器の機器本体で、各種ボタンや表示部が設けられた天板２と、円形状の空気吸込口３と排気用孔（図示せず）とを形成した背面板４と、左右の側面板５、６と、底面の底板７と、温風吹出口８を設けた前パネル９と、前記底板７の底面の隅に設けた脚部１０よりなり、置台１１の上に置いて底板７と置台１１との間にスペース１２を形成させた状態で室内に設置するものである。
【０００９】
１３は断面略Ｌ字状のタンク用遮熱板で、該タンク用遮熱板１３と背面板４と右側の側面板６とで着脱自在に収納されるカートリッジ式タンク１４の収納スペースを形成し、そのカートリッジ式タンク１４から供給される燃油を一定量貯めておく油受け皿１５の上部に設けられているものである。
【００１０】
１６は燃焼部で、前記油受け皿１５から燃料ポンプ１７により送られた燃油を気化させ、それに燃焼用空気送風機１８より送風された燃焼用空気を混合して燃焼させるバーナ１９と、燃焼炎を囲み、燃焼により発生した高温の排気ガスを導く外筒２０よりなり、バーナ１９の開口部分をバーナ取付台２１に固定し、更にそのバーナ取付台２１に外筒２０の一端を固定することにより一体化されているものである。
【００１１】
２２は熱交換器部で、燃焼部１６と連通して外筒２０により導かれた高温の排気ガスを内部の蛇行した排気ガス通路を通過させることにより、排気ガスの熱を送風されてくる空気に効率よく熱交換する熱交換器２３と、該熱交換器２３と燃焼部１６の外筒２０とをつなぐ中継熱交換器２４と、背面板４に形成した排気用孔に排気パイプ取付金具２５により一端を機器本体１の内側から固定された排気パイプ２６の、もう一端を差し込んで接続して排気ガスを機器本体１から排気する接続受け部２７とからなり、前記燃焼部１６と一体化された状態で、機器本体１内に着脱自在に固定されるものである。
【００１２】
２８は対流ファンで、直径が背面板４の空気吸込口３の径より若干小さいプロペラファンと、それを回転させる送風用モータ（図示せず）よりなり、前記対流ファン２８の中心が背面板４の空気吸込口３の中心と一致するようにして背面板４の外側に固定されるものである。
【００１３】
２９はユニット取付板で、底板７の上面に取り付けられ、一体化した燃焼部１６と熱交換器部２２とがその取付面に着脱自在に固定されている。
前記燃焼部１６にはサーミスタセンサ等からなる温度検出部３０を備え、この温度検出部３０の検出値に応じて前記燃料ポンプ１７や燃焼用空気送風機１８が制御されると共に、停電復帰時や運転停止後の再運転時の対流ファン２８の運転制御が行われるものである。
【００１４】
３１はプリント基板等によって形成された制御部で、入力側に運転スイッチ３２等のスイッチ類を備えた操作部３３と前記温度検出部３０と室温センサ３４等のセンサ類が接続され、出力側には前記燃料ポンプ１７と燃焼用空気送風機１８と対流ファン２８を駆動する対流モータ３５と運転状態をランプ類等によって表示する表示部３６が接続されている。
３７は前記制御部３１に備えた電源検出部で、停電復帰時や電源プラグ（図示せず）の挿入時に電源の有無を確認するものである。
【００１５】
次にこの温風暖房器の燃焼動作について説明する。
まず、天板２に設けられた運転スイッチ３２を押すと運転動作に入り、バーナ１９のヒータに通電して温度を上昇させ、バーナ１９に備えた温度検出部３０の温度が予め設定している温度まで上昇すると、燃料ポンプ１７より燃油がバーナ１９へ供給されると共に、燃焼用空気送風機１８より燃焼用空気がバーナ１９へ供給され、それによりバーナ１９内で燃油と燃焼用空気とが予混合されて混合気となり、バーナ１９の上部で外筒２０内に位置する炎孔部（図示せず）から吹き出すその混合気を着火して燃焼が開始される。
【００１６】
燃焼が開始されると同時に対流ファン２８が動作し、対流ファン２８による送風空気が機器本体１背面から背面板４の空気吸込口３を通過して、熱交換器２３にて熱交換した後に、前パネル９の温風吹出口８より温風として吹き出す。
【００１７】
次に図４のフローチャートによって停電後の復帰の作動について説明する。
ＳＴ１にて運転時に停電の発生、または電源プラグが抜ければ、温風暖房機は消火し全ての動きを停止する。（ＳＴ２）
ＳＴ３にて停電が復帰又は、電源プラグセットによって再通電が電源検出部３７によって検知されれば、ＳＴ４に進み温度検出部３０にて燃焼部の温度Ｔが読み込まれる。
【００１８】
次に、ＳＴ５にて燃焼部温度Ｔが１５０℃より大きいかを判断し、１５０℃より大きい場合にはＳＴ６に進み、停電直後であり温風暖房機内に過熱状態であるとの事で、表示部３６に停電を表示するエラー表示等を行い、タイマＸスタート、対流ファン２８スタート、燃焼用空気送風機１８スタートを行い、ＳＴ７にてタイマＸが６分経過したかを判断し、６分の経過によって温風暖房機内の過熱は十分に解消されるので、ＳＴ８にて対流ファン２８停止、燃焼用空気送風機１８停止し、ＳＴ１０にて運転の全停止を行う。
また、ＳＴ５にてＴが１５０℃より低かった場合には温風暖房機内の冷却の必要は無いとの判断から、ＳＴ９にて表示部３６に時計セットの表示を行い、ＳＴ１０にて運転の全停止を行う。
【００１９】
次に図５のフローチャートによって再点火の作動について説明する。
ＳＴ１１にて運転スイッチ３２の押圧され、ＳＴ１２にて燃焼部の点火動作が開始され、ＳＴ１３にてタイマＹスタートし、温度検出部３０にて燃焼部の温度Ｔが読み込まれる。
【００２０】
次に、ＳＴ１４にて燃焼部温度Ｔが１３０℃より大きいかを判断し、１３０℃より大きい場合にはＳＴ１５に進み、温風暖房機内に残熱が有るので、短めの３０秒の遅延動作の後にＳＴ１７にて対流ファン２８の運転を開始し、温風吹出口８より温風を吹き出すものである。
【００２１】
一方、ＳＴ１４にて燃焼部温度Ｔが１３０℃以下の場合にはＳＴ１６に進み、温風暖房機内の残熱が少ないので、通常にの６０秒の遅延動作の後にＳＴ１７にて対流ファン２８の運転を開始し、温風吹出口８より温風を吹き出し、ＳＴ１８にて通常運転を継続するものである。
【００２２】
このように、熱交換器等に取り付けられていたサーモスイッチを廃止して、その代用として燃焼部１６の温度制御に使用する温度検出部３０で検出するバーナ１９の温度を使用することで、サーモスイッチと接続電線等のサーモスイッチ関連部品や組立作業の費用を削減できるものである。
また、サーモスイッチの代わりとしてバーナの燃焼制御に使用使用している温度検知手段での検知温度によって、運転停止時や再運転時の対流ファンの運転制御を行うことで、温風暖房機内部の過熱による故障や事故を防止できるものである。
【図面の簡単な説明】
【００２３】
【図１】この発明の一実施例を付した温風暖房機を示す斜視図。
【図２】同機器本体内の内部を示す正面図。
【図３】同制御装置の概略図。
【図４】同停電時のフローチャート図。
【図５】同再点火時のフローチャート図。
【符号の説明】
【００２４】
１９  バーナ
２８  対流ファン
３０  温度検出部
３１  制御部
３７  電源検出部
【図１】
2006275358.tif 000003
【図２】
2006275358.tif 000004
【図３】
2006275358.tif 000005
【図４】
2006275358.tif 000006
【図５】
2006275358.tif 000007